(57)【特許請求の範囲】
【請求項１】
ユーザ機器（ＵＥ）アクティビティ期間統計を報告する方法であって、
アクセスネットワークノードから、閾値を計算するためのパラメータを取得することと、ここにおいて、前記閾値を計算するための前記パラメータは、非アクティビティタイマ持続時間を備え、
乗数によって乗算された前記非アクティビティタイマ持続時間として前記閾値を計算することと、
１つまたは複数のアクティビティ期間中にＵＥが接続モードまたはアイドルモードにある時間に関する、前記ＵＥについての統計を決定することと、
前記ＵＥについての前記統計から、前記１つまたは複数のアクティビティ期間内に前記ＵＥが前記接続モードにある前記時間が前記閾値よりも小さいかどうかを決定することと、
前記ＵＥが前記接続モードにある前記時間が前記閾値よりも小さいと決定される場合、（ａ）前記アクセスネットワークノードに前記ＵＥについての前記統計の少なくとも一部を提供し、（ｂ）前記統計において指示されるような、前記ＵＥがアイドルモードにある前記時間または前記ＵＥが前記接続モードにある前記時間のうちの少なくとも１つに少なくとも部分的に基づいて、前記ＵＥについての前記非アクティビティタイマ持続時間を決定することと、
前記ＵＥが前記接続モードにある前記時間が前記閾値よりも小さいと決定されない場合、前記統計の少なくとも一部を廃棄することと、
を備える、方法。
【請求項２】
前記統計を決定することは、複数のアクティビティ期間にわたって前記ＵＥが接続モードまたはアイドルモードにある前記時間の確率分布のヒストグラムまたは平均を決定することを備え、ここにおいて、前記１つまたは複数のアクティビティ期間は、前記複数のアクティビティ期間を備える、請求項１に記載の方法。
【請求項３】
前記ＵＥが前記接続モードにある前記時間が前記閾値よりも小さいかどうかを決定することは、前記時間の前記確率分布または前記平均が前記閾値よりも小さいかどうかを決定することを備える、請求項２に記載の方法。
【請求項４】
前記閾値を計算するための前記パラメータを取得することは、コアネットワーク構成における、前記パラメータを取得することを備える、請求項１に記載の方法。
【請求項５】
前記閾値を計算するための前記パラメータを取得することは、コアネットワークコンポーネントから、前記パラメータを取得することを備える、請求項１に記載の方法。
【請求項６】
前記コアネットワークコンポーネントは、動作および管理ノード、または機能を含む、請求項５に記載の方法。
【請求項７】
前記閾値を計算することは、前記１つまたは複数のアクティビティ期間中に前記ＵＥがアイドルモードにある前記時間の割合として前記閾値を計算することをさらに備える、請求項１に記載の方法。
【請求項８】
ユーザ機器（ＵＥ）アクティビティ期間統計を報告するための装置であって、
メモリと、
前記メモリに結合された少なくとも１つのプロセッサとを備え、
ここにおいて、前記少なくとも１つのプロセッサは、
アクセスネットワークノードから、閾値を計算するためのパラメータを取得し、ここにおいて、前記閾値を計算するための前記パラメータは、非アクティビティタイマ持続時間を備え、
乗数によって乗算された前記非アクティビティタイマ持続時間として前記閾値を計算し、
１つまたは複数のアクティビティ期間中にＵＥが接続モードまたはアイドルモードにある時間に関する、前記ＵＥについての統計を決定し、
前記１つまたは複数のアクティビティ期間内に前記ＵＥが前記接続モードにある前記時間が前記閾値よりも小さいかどうかを、前記ＵＥについての前記統計から決定し、
前記ＵＥが前記接続モードにある前記時間が前記閾値よりも小さいと決定される場合、（ａ）前記アクセスネットワークノードに前記ＵＥについての前記統計の少なくとも一部を提供し、（ｂ）前記統計において指示されるような、前記ＵＥがアイドルモードにある前記時間または前記ＵＥが前記接続モードにある前記時間のうちの少なくとも１つに少なくとも部分的に基づいて、前記ＵＥについての前記非アクティビティタイマ持続時間を決定し、
前記ＵＥが前記接続モードにある前記時間が前記閾値よりも小さいと決定されない場合、前記統計の少なくとも一部を廃棄する
ように構成される、装置。
【請求項９】
前記少なくとも１つのプロセッサは、複数のアクティビティ期間にわたって前記ＵＥが接続モードまたはアイドルモードにある前記時間の確率分布のヒストグラムまたは平均を決定するように構成され、ここにおいて、前記１つまたは複数のアクティビティ期間は、前記複数のアクティビティ期間を備える、請求項８に記載の装置。
【請求項１０】
前記少なくとも１つのプロセッサは、前記ＵＥが前記接続モードにある前記時間が、前記時間の前記確率分布または前記平均が前記閾値よりも小さいかどうかを決定することに少なくとも部分的に基づいて前記閾値よりも小さいかどうかを決定するように構成される、請求項９に記載の装置。
【請求項１１】
前記少なくとも１つのプロセッサは、コアネットワーク構成における、前記閾値を計算するための前記パラメータを取得するように構成される、請求項８に記載の装置。
【請求項１２】
前記少なくとも１つのプロセッサは、コアネットワークコンポーネントから、前記閾値を計算するための前記パラメータを取得するように構成される、請求項８に記載の装置。
【請求項１３】
前記コアネットワークコンポーネントは、動作および管理ノード、または機能を含む、請求項１２に記載の装置。
【請求項１４】
前記少なくとも１つのプロセッサは、前記１つまたは複数のアクティビティ期間中に前記ＵＥがアイドルモードにある前記時間の割合として前記閾値を計算するように構成される、請求項８に記載の装置。
【請求項１５】
ユーザ機器（ＵＥ）アクティビティ期間統計を報告するための装置であって、
アクセスネットワークノードから、閾値を計算するためのパラメータを取得するための手段と、ここにおいて、前記閾値を計算するための前記パラメータは、非アクティビティタイマ持続時間を備え、
乗数によって乗算された前記非アクティビティタイマ持続時間として前記閾値を計算するための手段と、
１つまたは複数のアクティビティ期間中にＵＥが接続モードまたはアイドルモードにある時間に関する、前記ＵＥについての統計を決定するための手段と、
前記ＵＥについての前記統計から、前記１つまたは複数のアクティビティ期間内に前記ＵＥが前記接続モードにある前記時間が前記閾値よりも小さいかどうかを決定するための手段と、
前記ＵＥが前記接続モードにある前記時間が前記閾値よりも小さいと決定される場合、（ａ）前記アクセスネットワークノードに前記ＵＥについての前記統計の少なくとも一部を提供し、（ｂ）前記統計において指示されるような、前記ＵＥがアイドルモードにある前記時間または前記ＵＥが前記接続モードにある前記時間のうちの少なくとも１つに少なくとも部分的に基づいて、前記ＵＥについての前記非アクティビティタイマ持続時間を決定するための手段と、
前記ＵＥが前記接続モードにある前記時間が前記閾値よりも小さいと決定されない場合、前記統計の少なくとも一部を廃棄するための手段と、
を備える、装置。
【請求項１６】
前記ＵＥについての前記統計を決定するための前記手段は、複数のアクティビティ期間にわたって前記ＵＥが接続モードまたはアイドルモードにある前記時間の確率分布のヒストグラムまたは平均を決定し、ここにおいて、前記１つまたは複数のアクティビティ期間は、前記複数のアクティビティ期間を備える、請求項１５に記載の装置。
【請求項１７】
前記１つまたは複数のアクティビティ期間内に前記ＵＥが前記接続モードにある前記時間が前記閾値よりも小さいかどうかを決定するための前記手段は、前記時間の前記確率分布または前記平均が前記閾値よりも小さいかどうかを決定する、請求項１６に記載の装置。
【請求項１８】
前記閾値を計算するための前記パラメータを取得するための前記手段は、コアネットワーク構成における、前記パラメータを取得する、請求項１５に記載の装置。
【請求項１９】
前記閾値を計算するための前記パラメータを取得するための前記手段は、コアネットワークコンポーネントから、前記パラメータを取得する、請求項１５に記載の装置。
【請求項２０】
前記コアネットワークコンポーネントは、動作および管理ノード、または機能を含む、請求項１９に記載の装置。
【請求項２１】
計算するための前記手段は、前記１つまたは複数のアクティビティ期間中に前記ＵＥがアイドルモードにある前記時間の割合として前記閾値を計算する、請求項１５に記載の装置。
【請求項２２】
ユーザ機器（ＵＥ）アクティビティ期間統計を報告するためのコードを備える非一時的なコンピュータ読取可能な記憶媒体であって、
前記コードは、
アクセスネットワークノードから、閾値を計算するためのパラメータを取得するためのコードと、ここにおいて、前記閾値を計算するための前記パラメータは、非アクティビティタイマ持続時間を備え、
乗数によって乗算された前記非アクティビティタイマ持続時間として前記閾値を計算するためのコードと、
１つまたは複数のアクティビティ期間中にＵＥが接続モードまたはアイドルモードにある時間に関する、前記ＵＥについての統計を決定するためのコードと、
前記１つまたは複数のアクティビティ期間内に前記ＵＥが前記接続モードにある前記時間が前記閾値よりも小さいかどうかを、前記ＵＥについての前記統計から決定するためのコードと、
前記ＵＥが前記接続モードにある前記時間が前記閾値よりも小さいと決定される場合、（ａ）前記アクセスネットワークノードに前記ＵＥについての前記統計の少なくとも一部を提供し、（ｂ）前記統計において指示されるような、前記ＵＥがアイドルモードにある前記時間または前記ＵＥが前記接続モードにある前記時間のうちの少なくとも１つに少なくとも部分的に基づいて、前記ＵＥについての前記非アクティビティタイマ持続時間を決定するためのコードと、
前記ＵＥが前記接続モードにある前記時間が前記閾値よりも小さいと決定されない場合、前記統計の少なくとも一部を廃棄するためのコードと、
を備える、非一時的なコンピュータ読取可能な記憶媒体。
【請求項２３】
前記ＵＥについての前記統計を決定するための前記コードは、複数のアクティビティ期間にわたって前記ＵＥが接続モードまたはアイドルモードにある前記時間の確率分布のヒストグラムまたは平均を決定し、ここにおいて、前記１つまたは複数のアクティビティ期間は、前記複数のアクティビティ期間を備える、請求項２２に記載の非一時的なコンピュータ読取可能な記憶媒体。
【請求項２４】
前記１つまたは複数のアクティビティ期間内に前記ＵＥが前記接続モードにある前記時間が前記閾値よりも小さいかどうかを決定するための前記コードは、前記時間の前記確率分布または前記平均が前記閾値よりも小さいかどうかを決定する、請求項２３に記載の非一時的なコンピュータ読取可能な記憶媒体。
【請求項２５】
前記閾値を計算するための前記パラメータを取得するための前記コードは、コアネットワーク構成における、前記パラメータを取得する、請求項２２に記載の非一時的なコンピュータ読取可能な記憶媒体。
【請求項２６】
前記閾値を計算するための前記パラメータを取得するための前記コードは、コアネットワークコンポーネントから、前記パラメータを取得する、請求項２２に記載の非一時的なコンピュータ読取可能な記憶媒体。
【請求項２７】
前記コアネットワークコンポーネントは、動作および管理ノード、または機能を含む、請求項２６に記載の非一時的なコンピュータ読取可能な記憶媒体。
【請求項２８】
計算するための前記コードは、前記１つまたは複数のアクティビティ期間中に前記ＵＥがアイドルモードにある前記時間の割合として前記閾値を計算する、請求項２２に記載の非一時的なコンピュータ読取可能な記憶媒体。
【発明の詳細な説明】
【優先権の主張】
【０００１】
[0001]  本特許出願は、２０１５年３月３０日に出願された「REPORTING DEVICE STATISTICS IN WIRELESS COMMUNICATIONS」と題された非仮出願第１４／６７３，５０８号、および２０１４年５月１２日に出願された「APPARATUS AND METHOD FOR REPORTING DEVICE STATISTICS IN WIRELESS COMMUNICATIONS」と題された仮出願第６１／９９２，０６７号の優先権を主張し、これらは、ここでの譲受人に対して譲渡され、これにより参照によって本明細書に明示的に組み込まれる。
【背景技術】
【０００２】
[0002]  ワイヤレス通信システムは、電話通信、ビデオ、データ、メッセージング、およびブロードキャストなどのような様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００３】
[0003]  これらの多元接続技術は、異なるワイヤレスデバイスに、市区町村レベル、国レベル、地方レベルだけでなく、グローバルなレベルでの通信を可能にさせる共通のプロトコルを提供するために、様々な電気通信規格に採用されている。電気通信規格の一例は、ロングタームエボリューション（ＬＴＥ（登録商標））である。ＬＴＥは、第３世代パートナーシッププロジェクト（３ＧＰＰ（登録商標））によって公表されたユニバーサルモバイル電気通信システム（ＵＭＴＳ）のモバイル規格に対する拡張のセットである。それは、スペクトル効率を改善すること、コストを下げること、サービスを向上させること、新たなスペクトルを利用すること、および、ダウンリンク（ＤＬ）にＯＦＤＭＡを、アップリンク（ＵＬ）にＳＣ−ＦＤＭＡを、および多入力多出力（ＭＩＭＯ）アンテナ技術を使用する他のオープン規格と適切に統合することによって、モバイルブロードバンドインターネットアクセスをより適切にサポートするように設計されている。しかしながら、モバイルブロードバンドアクセスに対する需要が増加し続けるにつれて、ＬＴＥ技術におけるさらなる改善の必要性が存在する。このような改善は、これらの技術を用いる他の多元接続技術および電気通信規格に適用可能であり得る。
【０００４】
[0004]  ユーザ機器（ＵＥ）は、コアネットワークコンポーネントおよび機能にアクセスするために発展型ノードＢ（ｅＮＢ）と通信するための、これらの技術を用いる。ＵＥは、確立された無線リソース制御（ＲＲＣ）リソースを介して接続（または、アクティブ）モードで、または、他の時間期間にＵＥにおいて通信リソースを一時停止すること（したがって、電力を節約すること）を可能にするために、特定の時間期間内にｅＮＢからページング信号を受信するように、アイドルモードで、ｅＮＢと通信することができる。一例では、ｅＮＢは、非アクティビティタイマ（an inactivity timer）の満了に基づいてＵＥの非アクティビティの期間を検出した後、ＵＥを接続モード（connected mode）からアイドルモードへと切り替えることを決定するために、非アクティビティタイマを定義することができる。非アクティビティタイマについての持続時間は、ネットワーク上のＵＥによる接続および／またはアイドルモードにある時間のような、１つまたは複数のコアネットワークコンポーネントによって累積されたＵＥの特定の統計（statistics）に基づいて計算され得る。しかしながら、これらの統計は、ＵＥのアクティビティ／非アクティビティの実際の時間を示さない可能性があるため、適切な非アクティビティタイマ持続時間（inactivity timer duration）を決定するのに必ずしも有効でない可能性がある。
【発明の概要】
【０００５】
[0005]  下記は、１つまたは複数の態様の基本的理解を提供するために、このような態様の簡略化された概要を示す。この概要は、全ての意図された態様の広範な概要ではなく、また、全ての態様のキーとなるまたは重要な要素を特定することも、任意のまたは全ての態様の範囲を表すことも意図されていない。その唯一の目的は、後に提示されるより詳細な説明への前置きとして、簡潔化された形態で、１つまたは複数の態様のうちのいくつかの概念を提示することである。
【０００６】
[0006]  例によると、ユーザ機器（ＵＥ）アクティビティ期間統計（user equipment (UE) activity period statistics）を報告する方法が提供される。方法は、１つまたは複数のアクティビティ期間中にＵＥが接続モードまたはアイドルモードにある時間に関する、ＵＥについての統計を決定することと、１つまたは複数のアクティビティ期間内にＵＥが接続モードにある時間が閾値よりも小さいかどうかを、ＵＥについての統計から決定することと、１つまたは複数のアクティビティ期間の対応する部分においてＵＥが接続モードにある時間が閾値よりも小さい場合、アクセスネットワークノードにＵＥについての統計の少なくとも一部を提供することと、を含む。
【０００７】
[0007]  別の例では、ＵＥアクティビティ期間統計を報告するための装置が提供される。装置は、１つまたは複数のアクティビティ期間中にＵＥが接続モードまたはアイドルモードにある時間に関する、ＵＥについての統計を決定するように構成された、統計収集コンポーネント（statistics gathering component）と、１つまたは複数のアクティビティ期間内にＵＥが接続モードにある時間が閾値よりも小さいかどうかを、ＵＥについての統計から決定するように構成された接続モード時間コンポーネントと、１つまたは複数のアクティビティ期間の対応する部分においてＵＥが接続モードにある時間が閾値よりも小さい場合、アクセスネットワークノードにＵＥについての統計の少なくとも一部を提供するように構成された、統計提供コンポーネントと、を含む。
【０００８】
[0008]  さらに別の例では、ＵＥアクティビティ期間統計を報告するための装置が提供される。装置は、１つまたは複数のアクティビティ期間中にＵＥが接続モードまたはアイドルモードにある時間に関する、ＵＥについての統計を決定するための手段と、１つまたは複数のアクティビティ期間内にＵＥが接続モードにある時間が閾値よりも小さいかどうかを、ＵＥについての統計から決定するための手段と、１つまたは複数のアクティビティ期間の対応する部分においてＵＥが接続モードにある時間が閾値よりも小さい場合、アクセスネットワークノードにＵＥについての統計の少なくとも一部を提供するための手段と、を含む。
【０００９】
[0009]  別の例では、ＵＥアクティビティ期間統計を報告するためのコードを備えるコンピュータ読取可能な媒体が提供される。コードは、１つまたは複数のアクティビティ期間中にＵＥが接続モードまたはアイドルモードにある時間に関する、ＵＥについての統計を決定するためのコードと、１つまたは複数のアクティビティ期間内にＵＥが接続モードにある時間が閾値よりも小さいかどうかを、ＵＥについての統計から決定するためのコードと、１つまたは複数のアクティビティ期間の対応する部分においてＵＥが接続モードにある時間が閾値よりも小さい場合、アクセスネットワークノードにＵＥについての統計の少なくとも一部を提供するためのコードと、を備える。
【００１０】
[0010]  前述したおよび関連する目的の達成のために、１つまたは複数の態様は、下記に十分に説明され、特許請求の範囲において具体的に示される特徴を備える。下記の説明および添付された図面は、１つまたは複数の態様の特定の例示的な特徴を詳細に記載する。これらの特徴は、様々な態様の原理が用いられ得る様々な方法のうちのごく一部を示すものであるが、本説明は、全てのこのような態様およびそれらの同等物を含むことが意図される。
【図面の簡単な説明】
【００１１】
【図１】[0011]  図１は、本明細書で説明される態様に従った、ワイヤレス通信システムの例を図示するブロック図である。
【図２】[0012]  図２は、非アクティビティタイマ持続時間を計算するために、ユーザ機器（ＵＥ）の統計を決定するための方法の例を表す、複数の機能ブロックを備えるフロー図である。
【図３】[0013]  図３は、非アクティビティタイマ持続時間を計算するために、ユーザ機器（ＵＥ）の統計を決定するための方法の例を表す、複数の機能ブロックを備えるフロー図である。
【図４ａ】[0014]  図４ａは、処理システムを用いる装置のためのハードウェア実装の例を図示する図である。
【図４ｂ】[0015]  図４ｂは、処理システムを用いる装置のためのハードウェア実装の例を図示する図である。
【図５】[0016]  図５は、ＬＴＥ電気通信システムの例を概念的に図示するブロック図である。
【図６】[0017]  図６は、アクセスネットワークにおける発展型ノードＢおよびユーザ機器の例を図示する図である。
【発明の詳細な説明】
【００１２】
[0018]  添付の図面に関連して下記に記載される詳細な説明は、様々な構成の説明が意図されたものであり、本明細書で説明される概念が実現され得る、唯一の構成を表すことが意図されるものではない。詳細な説明は、様々な概念の完全な理解を提供する目的のために特定の詳細を含んでいる。しかしながら、これらの概念がこれらの特定の詳細なしで実現され得ることは、当業者にとって明らかであるだろう。いくつかの事例では、周知のコンポーネントが、そのような概念を曖昧にすることを避けるためにブロック図形式で示される。
【００１３】
[0019]  本明細書で説明される態様は、ユーザ機器（ＵＥ）についての１つまたは複数のパラメータを決定する際に利用するためのＵＥ統計を決定することに関し、ここで、統計を決定することは、その統計によって指示されるような、ＵＥが接続モードにある時間が閾値に達するかどうかに少なくとも部分的に基づく。ＵＥは、ネットワークと通信するための無線周波数（ＲＦ）リソースが通信を送信／受信するためにアクティブである場合、接続（または、アクティブ）モードでネットワークおよび／または関連するネットワークノード（例えば、発展型ノードＢ（ｅＮＢなど））と通信することができる。ＵＥはまた、電力消費を節約するための時間の期間の間、ＵＥが１つまたは複数のＲＦリソースの動作を一時停止することができ、一方、ネットワークからの特定の通信（例えば、ページング信号）を受信するための他の時間の期間にＲＦリソースをアクティブ化する場合、アイドルモードでネットワークおよび／または関連するネットワークノードと通信し得る。しかしながら、ＵＥが接続モードでネットワークと通信しているとき、ＵＥは、必ずしも常にネットワークとアクティブに通信しない可能性がある。よって、より多くの情報がなければ、接続モードにあるＵＥの決定された持続時間は、（非アクティビティタイマについての持続時間のような）ＵＥについての特定の構成パラメータを決定するための通信アクティビティの正確な測定結果ではない可能性がある。例えば、（非アクティビティタイマについての持続時間に関連する）長い時間の期間の間、ＵＥが接続モードにあるとき、ＵＥは全体の時間の期間の間、実際にアクティブに通信している可能性があるかまたはそうでない可能性があり、ＵＥの非アクティビティの実際の期間は、接続モードで消費されない時間（例えば、アイドルモードにある時間）よりも長い可能性がある。特に、接続モードにあるＵＥは、非アクティビティタイマ持続時間値よりも短い値にわたる非アクティビティの多くの期間を有し得、そのため、その期間が非アクティビティタイマの満了をトリガするのに十分長くないので、非アクティビティの期間として考慮されない可能性があり、それは、そうでない場合にはＵＥがアイドルモードに入ることを引き起こし得る。
【００１４】
[0020]  従って、例えば、接続およびアイドルモードサイクルの期間中のＵＥに関連する特定の統計は、接続モードにある時間が閾値に達する場合、ＵＥについての１つまたは複数のパラメータを決定することを考慮して廃棄され得る。例えば、接続およびアイドルモードサイクル中にＵＥがアイドルモードにある時間（例えば、接続モード時間対アイドルモード時間の比）などに関連して、非アクティビティタイマについての持続時間に関連して、閾値は絶対的である。しかしながら、閾値よりも小さい時間の間、ＵＥが接続モードにあるとき、これは、アイドルモードが（例えば、非アクティビティタイマについての持続時間とともに）非アクティビティの期間を示すことができるように、ＵＥの実際のアクティビティ／非アクティビティ時間のより正確な分析を可能にすることができる。よって、一例では、ＵＥに関する非アクティビティタイマについての持続時間は、（例えば、他の考慮、または非アクティビティタイマについての前の持続時間値に加えて）接続モードにある時間が閾値よりも小さい場合、接続／アイドルモードサイクルにあるＵＥについてのアイドルモード時間を分析することに少なくとも部分的に基づいて決定されることができる。
【００１５】
[0021]  図１−３を参照すると、態様は、本明細書で説明される動作または機能を行い得る１つまたは複数のコンポーネントおよび１つまたは複数の方法を参照して描かれる。ある態様では、本明細書で説明される「コンポーネント」という用語は、システムを構成する部分のうちの１つであり得、ハードウェアまたはソフトウェア、あるいはこれらのいくつかの組み合わせであり得、他のコンポーネントに分割され得る。さらに、例えば、本明細書で説明されるコンポーネントは、例えば、プロセッサモジュールのような特別に構成されたハードウェアエレメントで、またはコンピュータ読取可能な媒体内に記憶され、プロセッサによって実行可能であるコンピュータ実行可能なコードとして、または両方の組み合わせで、実装され得る。図２および３で下記に説明される動作は、特定の順序で表される、および／またはコンポーネントの例によって行われるが、動作の順序および動作を行うコンポーネントは実装に依存して変化し得ることが理解されるべきである。さらに、下記の動作または機能が、特別にプログラムされたプロセッサ、特別にプログラムされたソフトウェアを実行するプロセッサ、またはコンピュータ読取可能な媒体によって、あるいは、説明される動作または機能を行うことができるハードウェアコンポーネントおよび／またはソフトウェアコンポーネントの任意の他の組み合わせで行われ得ることが理解されるべきである。
【００１６】
[0022]  図１は、構成の例に従った、ワイヤレス通信のためのシステム１００を図示する概略図である。図１は、ワイヤレスネットワーク内のアクセスネットワークノード１０４と通信するＵＥ １０２を含む。アクセスネットワークノード１０４は、ワイヤレスネットワークアクセスに関連するサービスをＵＥ １０２に提供するために、コアネットワークノード１０６と通信することができる。１つのＵＥ １０２およびアクセスネットワークノード１０４が示されるが、１つまたは複数のコアネットワークノード１０６にアクセスするために、複数のＵＥ １０２がアクセスネットワークノード１０４と通信することができること、ＵＥ １０２が複数のアクセスネットワークノード１０４と通信することができること、および／または同様のことが理解されるだろう。
【００１７】
[0023]  ＵＥ １０２は、限定されないが、スマートフォン、セルラ電話、モバイルフォン、ラップトップコンピュータ、タブレットコンピュータ、または別のデバイス（例えば、コンピュータに接続されたモデム）に繋がれた、独立型デバイスであり得る、他の持ち運び可能なネットワーク接続されたデバイス、および／または同様のものなど、のようなモバイルデバイスの任意のタイプを備え得る。加えて、ＵＥ １０２はまた、当業者によって、モバイル局、加入者局、モバイルユニット、加入者ユニット、ワイヤレスユニット、リモートユニット、モバイルデバイス、モバイル通信デバイス、ワイヤレスデバイス、ワイヤレス通信デバイス、リモートデバイス、モバイル加入者局、アクセス端末、モバイル端末、ワイヤレス端末、リモート端末、ハンドセット、端末、ユーザエージェント、モバイルクライアント、クライアント、または何らかの他の適切な専門用語で呼ばれ得る。一般に、ＵＥ １０２は、持ち運び可能であると考えるのに十分に軽量かつ小型であり得、本明細書で説明される１つまたは複数のオーバー・ジ・エアー（ＯＴＡ：over-the-air）通信プロトコルを使用するＯＴＡ通信リンクを介して、ワイヤレスに通信するように構成され得る。さらに、いくつかの例では、ＵＥ １０２は、複数の別個の加入者を介して複数の別個のネットワーク、複数の無線リンク、および／または同様のもの上で通信を容易にするように構成され得る。一例では、ＵＥ １０２は、図５のＵＥ ５０２を含むことができる。
【００１８】
[0024]  さらに、アクセスネットワークノード１０４は、基地局（ＢＳ）、ノードＢ、ｅノードＢ（ｅＮＢ）、リレー、ピア・ツー・ピアデバイス、無線ネットワークコントローラ（ＲＮＣ）、スモールセルなどを含む、アクセスポイント、マクロセルのような任意のタイプのネットワークモジュールの１つまたは複数を備え得る。本明細書で使用されるような、「スモールセル」という用語は、アクセスポイントまたはアクセスポイントの対応するカバレッジエリアを指し得、ここで、この場合のアクセスポイントは、例えば、マクロネットワークアクセスポイントまたはマクロセルの送信電力またはカバレッジエリアと比較して、比較的低い送信電力または比較的小さいカバレッジを有する。例えば、マクロセルは、限定されないが、半径数キロメートルなどのような、比較的大きい地理的エリアをカバーし得る。対照的に、スモールセルは、限定されないが、家庭（home）、ビル、またはビルのフロアのような、比較的小さい地理的エリアをカバーし得る。このように、スモールセルは、限定されないが、ＢＳ、アクセスポイント、フェムトノード、フェムトセル、ピコセル、マイクロノード、ノードＢ、ｅＮＢ、ホームノードＢ（ＨＮＢ）、ホーム発展型ノードＢ（ＨｅＮＢ）のような装置を含み得る。従って、本明細書で説明されるような「スモールセル」という用語は、マクロセルと比較して、比較的低い送信電力および／または比較的小さいカバレッジエリアを指す。さらに、アクセスネットワークノード１０４は、コアネットワークノード１０６のようなワイヤレスネットワークおよび／またはコアネットワークの１つまたは複数の他のネットワークエンティティと通信し得る。アクセスネットワークノード１０４は、例えば、図４ａの装置４００および／またはこれらのコンポーネント、ｅノードＢ ５０６、他のｅノードＢ ５０８、あるいは、図５のＥ−ＵＴＲＡＮ ５０４の他のコンポーネントであり得るか、またはこれらを含み得る。
【００１９】
[0025]  コアネットワークノード１０６は、認証、承認、およびアカウンティング（ＡＡＡ）サーバ、モバイル交換サーバ（ＭＳＣ）、モビリティ管理エンティティ（ＭＭＥ）（例えば、図５のＭＭＥ ５１２または他のＭＭＥ ５１４）、１つまたは複数のサービングゲートウェイ（ＳＧＷ）（例えば、図５のＳＧＷ ５１６）またはパケットデータネットワーク（ＰＤＮ）ゲートウェイ（ＰＧＷ）（例えば、図５のＰＧＷ ５１８）、図４の装置４０１などを含むことができる。コアネットワーク１０６は、１つまたは複数のＵＥにネットワークアクセスを提供するために、アクセスネットワークノード１０４がコアワイヤレスネットワークと通信することを可能にする。コアネットワークは、本明細書でさらに説明されるような、発展型パケットコア（ＥＰＣ）（例えば、図５のＥＰＣ ５１０）、あるいは１つまたは複数のワイヤレス通信技術をサポートする同様のネットワークを含むことができる。例えば、システム１００は、限定されないが、ワイドエリアネットワーク（ＷＡＮ）、ワイヤレスネットワーク（例えば、８０１. １１またはセルラネットワーク）、公衆交換電話ネットワーク（ＰＳＴＮ）ネットワーク、アドホックネットワーク、パーソナルエリアネットワーク（例えば、Ｂｌｕｅｔｏｏｔｈ（登録商標））、あるいは、ネットワークプロトコルおよびネットワークタイプの他の組み合わせまたは置換のような、任意のネットワークタイプを含み得る。このようなネットワークは、単一のローカルエリアネットワーク（ＬＡＮ）またはワイドエリアネットワーク（ＷＡＮ）、あるいは、インターネットなどのＬＡＮまたはＷＡＮの組み合わせを含み得る。このようなネットワークは、広帯域符号分割多元接続（Ｗ−ＣＤＭＡ（登録商標））システムを備え得、この規格に従って、１つまたは複数のＵＥ １０２と通信し得る。当業者が容易に理解するように、本開示全体にわたって説明される様々な態様は、他の電気通信システム、ネットワークアーキテクチャ、および通信規格に拡大され得る。例として、様々な態様は、時分割同期符号分割多元接続（ＴＤ−ＳＣＤＭＡ）、高速ダウンリンクパケット接続（ＨＳＤＰＡ）、高速アップリンクパケット接続（ＨＳＵＰＡ）、高速パケット接続プラス（ＨＳＰＡ＋）、および時分割ＣＤＭＡ（ＴＤ−ＣＤＭＡ）のような、他のユニバーサルモバイル電気通信システム（ＵＭＴＳ）システムに拡大され得る。様々な態様はまた、（ＦＤＤ、ＴＤＤ、または両方のモードにおける）ロングタームエボリューション（ＬＴＥ）、（ＦＤＤ、ＴＤＤ、または両方のモードにおける）ＬＴＥ−アドバンスト（ＬＴＥ−Ａ）、ＣＤＭＡ ２０００、エボリューションデータ・オプティマイズド（ＥＶ−ＤＯ）、ウルトラモバイルブロードバンド（ＵＭＢ）、アメリカ電気電子通信学会（ＩＥＥＥ）８０２. １１（Ｗｉ−Ｆｉ）、ＩＥＥＥ ８０２. １６（ＷｉＭＡＸ（登録商標））、ＩＥＥＥ ８０２. ２０、ウルトラワイドバンド（ＵＷＢ）、Ｂｌｕｅｔｏｏｔｈ、および／または他の適切なシステムを用いるシステムに拡大され得る。用いられる実際の電気通信規格、ネットワークアーキテクチャ、および／または通信規格は、システムに課された全体的な設計制約および特定のアプ��ケーションに依存し得る。ネットワークに結合される様々なデバイス（例えば、ＵＥ １０２、アクセスネットワークノード １０４）は、１つまたは複数の有線またはワイヤレス接続を介してコアネットワークに（例えば、コアネットワークノード１０６および／または他の中間または代替ノードに）結合され得る。
【００２０】
[0026]  一例では、ＵＥ １０２は、接続またはアイドルモードでアクセスネットワークノード１０４と通信することができ、接続またはアイドルモードで消費される時間は、特定の状況ではＵＥ １０２のアクティビティまたは非アクティビティの期間を示し得るか、あるいは、他の状況ではそうではない可能性がある。アクセスネットワークノード１０４は、ＵＥ １０２に関する非アクティビティタイマについての持続時間値を決定する際に、これらの統計（例えば、ＵＥ １０２が接続およびアイドルモードで消費した時間）を使用し得る。非アクティビティタイマは、アクセスネットワークノード１０４が（例えば、無線リソース制御（ＲＲＣ）コマンドを介して）接続モード通信からアイドルモード通信へＵＥ １０２を切り替えることをもたらす、検出された非アクティビティの時間の期間に関連することができる。一例では、コアネットワークノード１０６は、統計を追跡することができ、接続モードにある時間が閾値よりも小さいときにアクセスネットワークノード１０４に統計を提供することができる。別の例では、アクセスネットワークノード１０４は、コアネットワークノード１０６から統計を受信することができ、接続モードにある時間が閾値よりも小さいかどうかを決定することに基づいて、統計を使用するかどうかを決定することができる。
【００２１】
[0027]  アクセスネットワークノード１０４は、ワイヤレスネットワークと通信する際にＵＥ １０２が接続モードおよび／またはアイドルモードにある時間に関連するコアネットワークノード１０６からの統計を受信するための統計受信コンポーネント１１０、統計に関連する接続モード時間を決定するための任意的な接続モード時間コンポーネント１１２、並びに／あるいは、統計および／または統計に関連する接続モード時間に少なくとも部分的に基づいて非アクティビティタイマについての持続時間値を設定するための非アクティビティタイマ設定コンポーネント１１４を含むことができる。
【００２２】
[0028]  コアネットワークノード１０６は、ＵＥ １０２がネットワークとの接続および／またはアイドルモード通信にある時間を決定するための統計収集コンポーネント１２０、統計に関連する接続モード時間を決定するための任意的な接続モード時間コンポーネント１２２、並びに／あるいは、１つまたは複数のアクセスネットワークノード１０４に統計を提供するための統計提供コンポーネント１２４を含むことができ、これらは、統計に関連する接続モード時間に基づき得る。
【００２３】
[0029]  一例では、統計収集コンポーネント１２０は、接続モードおよびアイドルモード時間によって定義される１つまたは複数のアクティビティ期間の間、ＵＥが接続モードにある時間およびＵＥがアイドルモードにある時間に関連する統計を決定するように構成されることができる。例えば、統計収集コンポーネント１２０は、ｎ番目のアクティビティ期間の接続モード部分の長さとしてＣｎを決定することができ、ここで、ｎはＵＥ １０２が一度接続モードにあり且つ一度アイドルモードにある完了したｎ番目のアクティビティ期間であり、ｎ番目のアクティビティ期間のアイドルモード部分の長さとしてＩｎを決定することができ、よって、ｎ番目のアクティビティ期間の長さとしてＰｎを決定することができ、ここで、Ｐｎ＝Ｃｎ＋Ｉｎである。  
[0030]  加えて、  
【００２４】
【数１】
0006676545.tif 000002
であり、ここで、Ｔは与えられたアクティビティ期間の間の非アクティビティタイマの持続時間であり、ＡはＵＥ １０２による（例えば、ＵＥ １０２のＲＦリソースによる）実際のアクティビティの期間であり、ａはＵＥ １０２による実際の非アクティビティの期間であり、Ｋは実際のアクティビティ／非アクティビティの１つまたは複数の期間を表し、ここで、非アクティビティの期間は非アクティビティタイマＴほど長くはない。一般に、ａが小さい（例えば、非アクティビティタイマ持続時間の２または３倍といった閾値よりも小さい）場合、次にｅＮＢは、ａをカバーし（cover）、ＵＥを接続状態にし続ける、ＵＥのための、非アクティビティタイマについてのより長い持続時間を使用することを決定することができる。ａが長い場合、次にｅＮＢは、ＵＥがアクティブになった後に非アクティビティのより長い期間に入ることを決定することができ、したがって、ＵＥをアイドルモードにし続けるために、非アクティビティタイマについてのより小さい持続時間を使用することができる。
【００２５】
[0031]  しかしながら、統計収集コンポーネント１２０は、Ｋを決定することができない可能性があり、そのため、コアネットワークノード１０６はＵＥが接続およびアイドルモードに入ることに関して通知されるのみであり、ＵＥにおけるアクティビティ／非アクティビティの期間を必ずしも通知されない可能性があるので、統計収集コンポーネント１２０はＡまたはａを決定することができない。例えば、ＵＥ １０２は、非アクティビティの長い一連の短い期間を有し得、次に、非アクティビティの１つの長い期間（例えば、Ｋが大きい可能性がある）を有し得、コアネットワークノード１０６は、非アクティビティタイマの関連付けられた満了を検出することに基づいて長いアイドルモード期間を観測するのみであり得、それは、この例における非アクティビティの統計を正確に反映しない。反対に、Ｋが小さい（または１に等しい）場合、コアネットワークノード１０６によって決定された統計は、より正確であり得る（例えば、Ｃｎ＝Ａｎ、およびＩｎ＝ａｎ−Ｔ）。しかしながら、コアネットワークノード１０６が非アクティビティタイマの値を知らない可能性があるため、コアネットワークノード１０６は、いつＫ＝１であるかを決定することができない可能性がある。しかしながら、コアネットワークノード１０６は、これがＣｎよりも小さい非アクティビティの１つまたは複数の期間の尤度（likelihood）を減少させるので、Ｃｎが小さいときにＫ＝１を考慮し得る。例えば、Ｃｎが小さく（例えば、閾値よりも小さく、したがってＫは１であると暗示されることができる）、Ｉｎが大きいシナリオでは、これは、非アクティビティの大きな期間に続く小さい送信のパターンを示すことができ、そのため、非アクティビティタイマについての持続時間は、小さくなるように選択されることができる。Ｃｎが小さく（例えば、閾値よりも小さく、したがってＫは１であると暗示されることができる）、Ｉｎもまた小さいシナリオでは、これは、アイドルモードから接続モードへの頻繁な遷移をもたらすことができ、そのため、頻繁な遷移を避けるためにより長い時間の期間の間ＵＥを接続モードのままにするように、非アクティビティタイマについての持続時間は、より長くなるように選択されることができる。従って、本明細書で説明される態様は、接続モード時間が閾値よりも小さいかどうかに少なくとも部分的に基づいて、ＵＥの接続モード／アイドルモード時間について決定された統計をフィルタリングすることができる。
【００２６】
[0032]  図２は、接続およびアイドルモードで消費される時間に関するＵＥ統計を、アクセスネットワークノードに提供するかどうかを決定するための方法２００を図示する。方法２００は、ブロック２０２において、１つまたは複数のアクティビティ期間中にＵＥが接続モードにある時間に関する、ＵＥについての統計を決定することを含む。統計収集コンポーネント１２０は、１つまたは複数のアクティビティ期間中にＵＥが接続モード（および／またはアイドルモード）にある時間に関する、ＵＥについての統計を決定し得る。統計収集コンポーネント１２０は、例えば、データの収集（collection）、構成、分析、および／または解釈を含む、様々な動作のうちの１つまたは複数によって、ＵＥ １０２についての統計を収集する（gather）か、そうでなければ決定し得る。さらに、アクティビティ期間は、ＵＥ １０２がアクセスネットワークノード１０４を含む１つまたは複数のアクセスネットワークノードを介してコアネットワークノード１０６またはコアネットワークの他のノードに接続されるいずれかの実質的に測定可能な時間の期間に関連することができる。一例では、アクティビティ期間は、ＵＥ １０２が１つの接続モード期間および１つの隣接するアイドルモード期間においてアクセスネットワークノード１０４に接続される時間のサイクルを含むように定義され得る。よって、例えば、アクティビティ期間は、ＵＥがアイドルモードに切り替えを行い次に再度接続モードに戻るまでの、ＵＥが接続モードを開始する時間の期間によって定義され得、したがって、完全な接続モード期間および隣接するアイドルモード期間を含んでいる。アクセスネットワークノード１０４は、ＵＥ １２０が接続またはアイドルモードにある時にコアネットワークノード１０６に指示することができ、統計収集コンポーネント１２０は、ＵＥ １０２についての接続およびアイドルモードの接続の時間を受信および追跡することができることが理解されるだろう。別の例では、統計収集コンポーネント１２０は、１つまたは複数のコアネットワークベアラが、アクセスネットワークノード１０４、コアネットワークノード１０６、および／または他のネットワークノードによってＵＥ １０２のためにアクティベートされるかデアクティベートされるかに少なくとも部分的に基づいて、接続またはアイドルモードにあるＵＥ １０２を検出することができる。いずれの場合も、統計収集コンポーネント１２０は、単一のアクティビティ期間または複数のアクティビティ期間にわたって、ＵＥ １２０のこのような統計を集める（collect）ことができる。
【００２７】
[0033]  よって、一例では、ブロック２０２においてＵＥについての統計を決定することは、ブロック２０４において、複数のアクティビティ期間にわたってＵＥが接続またはアイドルモードにある時間についてのヒストグラムまたは平均を決定することを任意的に含み得る。統計収集コンポーネント１２０は、複数のアクティビティ期間に渡ってＵＥが接続またはアイドルモードにある時間についてのヒストグラムまたは平均を決定することができる。例えば、これは、時間の確率分布（probability distribution）の推定のヒストグラム、時間の平均などの、平均値（mean）、中央値（median）などを計算することを含むことができる。これに関して、例として、接続モード時間コンポーネント１２２は、本明細書でさらに説明されるような、アクセスネットワークノード１０４に提供するための統計を含めるかどうかを決定するために、平均、確率分布などのうちの１つまたは複数と、１つまたは複数の閾値とを比較し得る。
【００２８】
[0034]  方法２００はまた、ブロック２０６において、接続モードにある時間が閾値よりも小さいかどうかを決定すること（例えば、ブロック２０２において決定された統計または統計の情報から）を含む。接続モード時間コンポーネント１２２は、接続モードにある時間が閾値よりも小さいかどうかを決定することができる。他の例において、接続モード時間コンポーネント１２２は、時間が閾値以下であるか、閾値よりも大きいか、 または閾値以上であるかなどを代替的に決定し得ることが理解されるだろう。いずれの場合も、閾値は、例えば、絶対的な時間値、非アクティビティタイマのための持続時間に関する時間値（例えば、非アクティビティタイマ自体の持続時間値、乗数（例えば、２Ｘまたは３Ｘ）によって乗算された値など）、１つまたは複数のアクティビティ期間内にアイドルモードで消費される時間に関連する値（例えば、アイドルモードで消費される時間の１／２など）、および／または同様のものであることができる。
【００２９】
[0035]  一例では、方法２００は、ブロック２０８において、閾値または閾値を計算するためのパラメータを取得することを任意的に含むことができる。接続モード時間コンポーネント１２２は、閾値、および／または閾値を計算するための１つまたは複数のパラメータを取得することができる。例えば、接続モード時間コンポーネント１２２は、（例えば、アクセスネットワークノード１０４における構成、ＵＥ １０２または全てのＵＥなどについてのアクセスネットワークノード１０４において検出された状態（conditions）に基づいて）アクセスネットワークノード１０４から、１つまたは複数の他のコアネットワークコンポーネント（例えば、コアネットワークの動作および管理（Ｏ＆Ｍ）ノードまたは機能）から、および／または同様のものから、コアネットワーク構成（例えば、ＵＥ １０２に特有の、またはその他のもの）における、閾値、並びに／あるいは、１つまたは複数のパラメータを取得し得る。一例では、接続モード時間コンポーネント１２２は、ＵＥ １０２に関連する非アクティビティタイマの持続時間を取得することができ、上述されるような、ファクタによって乗算された持続時間として閾値を計算することができる。別の例では、接続モード時間コンポーネント１２２は、ＵＥ １０２が（例えば、現在のおよび／または１つまたは複数の前のアクティビティ期間内に）アイドルモードで消費した時間のような、コアネットワークノード１０６によって決定されるパラメータを取得することができ、このようなパラメータ（例えば、上述されるような時間の割合（a fraction of the time））に基づいて閾値を決定することができる。
【００３０】
[0036]  さらに、統計収集コンポーネント１２０が考慮のために複数のアクティビティ期間についての統計を取得する（例えば、および／または、接続モード時間コンポーネント１２２が期間のヒストグラムまたは平均の時間を計算する）場合、接続モード時間コンポーネント１２２は、説明されるように、閾値時間よりも小さいアクティビティ期間中に接続モードにある時間の計算された確率（probability）が閾値の確率に達するかどうかを決定することによって、接続モードにある時間が閾値よりも小さいかどうかを決定することができる。加えて、別の例では、複数のアクティビティ期間が考慮される場合、接続モード時間コンポーネント１２２は、接続モードにある時間が複数のアクティビティ期間の各々についての閾値よりも小さいかどうかを決定することができる。
【００３１】
[0037]  接続モードにある時間が閾値よりも小さい場合、方法２００は、ブロック２１０において、アクセスネットワークノードに統計の少なくとも一部を提供することを任意的に含む。統計提供コンポーネント１２４は、アクセスネットワークノード１０４に統計の少なくとも一部を提供することができる（接続モード時間コンポーネント１２２が、統計に関連した接続モード時間が閾値よりも小さいと決定する場合）。この例では、統計受信コンポーネント１１０は、コアネットワークノード１０６から統計を受信することができ、非アクティビティタイマ設定コンポーネント１１４は、ＵＥ １０２に関する非アクティビティタイマについての持続時間値を決定する際に、統計を使用することができる。閾値よりも小さい接続時間（connected times）を有するアクティビティ期間についてのみコアネットワークノード１０６からの統計を使用することは、説明されるような、アクティビティ期間中のＵＥ １０２についてのアクティビティ／非アクティビティ時間のより正確な表示を可能にする。例えば、接続モード時間が小さい（例えば、閾値よりも小さい）ため、ＵＥ １０２がコアネットワークノード１０６によって決定されるようなアイドルモードで消費した時間は、接続モード時間がより長いときと比較して、ＵＥ １０２の実際の非アクティビティの時間期間をより正確に表し得、さらなる実際の非アクティビティの期間は、非アクティビティタイマが満了するのを引き起こすための持続時間に十分に長くないということを発生させ得る。加えて、複数のアクティビティ期間が考慮される例では、統計提供コンポーネント１２４は、閾値よりも小さい接続モード時間を有するそれらのアクティビティ期間の統計をアクセスネットワークノードに提供することができる、および／または、時間の確率分布または平均が閾値よりも小さい場合には、複数のアクティビティ期間の全てについての統計を提供し得る。
【００３２】
[0038]  さらに、接続モードにある時間が閾値よりも小さい場合の別の例では、方法２００は、ブロック２１２において、統計の一部において指示されたアイドルモードにある時間または接続モードにある時間のうちの少なくとも１つに少なくとも部分的に基づいて、ＵＥについての非アクティビティタイマ持続時間を決定することを任意的に含む。統計提供コンポーネント１２４は、統計の一部において指示された、アイドルモードにある時または接続モードにある時間のうちの少なくとも１つに少なくとも部分的に基づいて、ＵＥについての非アクティビティタイマ持続時間を決定することができる。この例では、統計提供コンポーネント１２４はまた、アクセスネットワークノード１０４に非アクティビティタイマ持続時間を提供することができる。よって、例えば、統計受信コンポーネント１１０は、非アクティビティタイマ持続時間を受信することができ、非アクティビティタイマ設定コンポーネント１１４は、ＵＥ １０２についての非アクティビティタイマ持続時間を使用することができる。
【００３３】
[0039]  図３は、ＵＥに関する非アクティビティタイマについての持続時間を設定する際に使用するために統計を決定するための方法３００の別の例を図示する。方法３００は、ブロック３０２において、１つまたは複数のアクティビティ期間中にＵＥが接続モードおよび／またはアイドルモードにある時間に関する、ＵＥについての統計を受信することを含む。アクセスネットワークノード１０４（図１）は、１つまたは複数のアクティビティ期間中にＵＥ １０２が接続モードおよび／またはアイドルモードにある時間に関する、ＵＥ１０２についての統計を受信するための統計受信コンポーネント１１０を含む。例えば、統計受信コンポーネント１１０は、コアネットワークノード１０６からこのような統計を受信し得る。説明されるように、統計収集コンポーネント１２０は、ＵＥ １０２がアクティビティ期間（例えば、１つの接続モードと１つのアイドルモードのサイクル）の接続およびアイドルモードで消費した時間に関する、このような統計を集めることができる。この例では、コアネットワークノード１０６は、アクティビティ期間の接続時間に基づいて、アクセスネットワークノード１０４に統計を報告するかどうかを決定するための接続モード時間コンポーネント１２２を含み得るか、または含まない可能性があり、したがって、接続時間に関係なく、実質的に利用可能な統計を報告し得る。いずれの場合も、統計提供コンポーネント１２４は、アクセスネットワークノード１０４に統計を提供し、統計受信コンポーネント１１０は、ＵＥ １０２についての統計を取得することができる。いずれの場合も、統計受信コンポーネント１１０は、単一のアクティビティ期間または複数のアクティビティ期間の間、ＵＥ １２０のこのような統計を受信し得る。一例では、複数のアクティビティ期間の間に統計収集コンポーネント１２０から受信された統計は、複数のアクティビティ期間にわたる統計の確率分布のヒストグラムまたは平均に対応し得る。
【００３４】
[0040]  方法３００はまた、ブロック３０４において、統計に関して接続モードにある時間が閾値よりも小さいかどうかを決定すること（例えば、ブロック３０２において受信された統計または統計の情報から）を任意的に含む。接続モード時間コンポーネント１１２は、接続モードにある時間が閾値よりも小さいかどうかを決定することができる。他の例において、接続モード時間コンポーネント１２２は、時間が閾値以下であるか、閾値よりも大きいか 、または閾値以上であるかなどを代替的に決定し得ることが理解されるだろう。いずれの場合も、閾値は、例えば、絶対的な時間値、非アクティビティタイマのための持続時間に関する時間値（例えば、非アクティビティタイマ自体の持続時間値、乗数（例えば、２Ｘまたは３Ｘ）によって乗算された値など）、１つまたは複数のアクティビティ期間内にアイドルモードで消費される時間に関連する値（例えば、アイドルモードで消費される時間の１／２など）、および／または同様のものであることができる。
【００３５】
[0041]  一例では、方法３００は、ブロック３０６において、閾値または閾値を計算するためのパラメータを取得することを任意的に含むことができる。接続モード時間コンポーネント１１２は、閾値、および／または閾値を計算するための１つまたは複数のパラメータを取得することができる。例えば、接続モード時間コンポーネント１１２は、コアネットワークノード１０６並びに／あるいは１つまたは複数の他のコアネットワークコンポーネント（例えば、コアネットワークの動作および管理（Ｏ＆Ｍ）ノードまたは機能）などからの、コアネットワーク構成（例えば、ＵＥ １０２に特有の、またはその他のもの）にける、閾値、並びに／あるいは、１つまたは複数のパラメータを取得し得る。別の例では、接続モード時間コンポーネント１１２は、ＵＥ １０２または全てのＵＥなどについてのアクセスネットワークノード１０４における状態（conditions）（例えば、無線状態（radio conditions））を検出することに少なくとも部分的に基づいて、閾値を決定し得る。１つの例では、接続モード時間コンポーネント１２２は、ＵＥ １０２に関連する非アクティビティタイマの持続時間を取得することができ、上述されるような、ファクタによって乗算された持続時間として閾値を計算することができる。別の例では、接続モード時間コンポーネント１２２は、ＵＥ １０２が（例えば、現在のおよび／または１つまたは複数の前のアクティビティ期間内に）アイドルモードで消費した時間のような、コアネットワークノード１０６によって決定されるパラメータを取得することができ、このようなパラメータ（例えば、上述されるような時間の割合（a fraction of the time））に基づいて閾値を決定することができる。
【００３６】
[0042]  さらに、説明されるように、複数のアクティビティ期間が考慮される場合（例えば、期間の時間の確率分布のヒストグラムまたは平均）、接続モード時間コンポーネント１１２は、説明されるように、閾値時間よりも小さいアクティビティ期間中に接続モードにある時間の計算された確率が閾値の確率に達するかどうかを決定することによって、接続モードにある時間が閾値よりも小さいかどうかを決定することができる。加えて、別の例では、複数のアクティビティ期間が考慮される場合、接続モード時間コンポーネント１１２は、複数のアクティビティ期間の各々の間、接続モードにある時間が閾値よりも小さいかどうかを決定することができる。
【００３７】
[0043]  方法３００はさらに、ブロック３０８において、統計の少なくとも一部に基づいてＵＥについての非アクティビティタイマ持続時間を設定することを含む。アクセスネットワークノード１０４は、統計の一部に少なくとも部分的に基づいて、ＵＥ １０２についての非アクティビティタイマ持続時間を設定するための非アクティビティタイマ設定コンポーネント１１４を含む。例えば、非アクティビティタイマ設定コンポーネント１１４は、接続モード時間が閾値よりも小さいと決定される場合（例えば、（例えば、方法２００のブロック２０６にあるような）接続モード時間コンポーネント１１２によって、および／または、上記のブロック３０４を参照して説明されるように、接続モード時間コンポーネント１２２によって、接続モード時間が閾値よりも小さいと決定されるかどうか）、アクティビティ期間内において指示されるアイドルモードに基づいて非アクティビティタイマ持続時間を設定し得る。例えば、ＵＥ １０２についてアクティビティ期間内にアイドルモードで消費される時間が長いほど、上述されるように、非アクティビティタイマ設定コンポーネント１１４が非アクティビティタイマ持続時間をより短く設定し得（例えば、非アクティビティの検出された期間が、非アクティビティの長い期間をさらにもたらしそうである際に）、および／または逆も同様である。アイドルモード時間の統計と、関連する非アクティビティタイマ持続時間を設定することとの間の関係は、（例えば、アクセスネットワークノード１０４によって記録されたコアネットワークまたはその他のものからの）構成におけるアクセスネットワークノード１０４に供給されるマッピングまたは機能で定義され得、並びに／あるいはアクセスネットワークノード１０４、ＵＥ １０２、および／または同様のもののうちの１つまたは複数の検出された状態に基づき得る。
【００３８】
[0044]  図４ａは、処理システム４１４を用いた装置４００のためのハードウェア実装の例を図示する概念図である。いくつかの例では、処理システム４１４は、ＵＥまたはＵＥのコンポーネント（例えば、図１のＵＥ １０２）、アクセスネットワークノード（例えば、図１のアクセスネットワークノード１０４）などを備え得る。この例では、処理システム４１４は、バス４０２によって一般に表されるバスアーキテクチャを用いて実装され得る。バス４０２は、処理システム４１４の特定のアプリケーションと全体的な設計制約に依存する、任意の数の相互接続バスおよびブリッジを含み得る。バス４０２は、一般に、プロセッサ４０４によって一般に表される１つまたは複数のプロセッサ、コンピュータ読取可能な媒体４０６によって一般に表されるコンピュータ読取可能な媒体、および、任意的に、統計受信コンポーネント１１０、接続モード時間コンポーネント１１２、非アクティビティタイマ設定コンポーネント１１４、またはアクセスネットワークノード１０４の他のコンポーネントなど（図１）を含む様々な回路を一緒にリンクし、それは、本明細書で説明される１つまたは複数の方法またはプロシージャ（例えば、図３の方法３００）を実行するように構成され得る。いくつかの事例では、コンポーネント１１０、１１２、および１１４の、または上述されるおよび／または図１における他のコンポーネントの、動作のうちの少なくともいくつかは、コンピュータ読取可能な媒体４０６内に記憶される命令、並びに／あるいは、情報を使用してプロセッサ４０４によって、実装または実行され得る。
【００３９】
[0045]  バス４０２はまた、タイミングソース、周辺機器、電圧レギュレータ、および電力管理回路のような様々な他の回路をリンクさせることができ、それは、当該技術分野において周知である。バスインタフェース４０８は、バス４０２とトランシーバ４１０との間のインターフェースを提供する。トランシーバ４１０は、送信媒体を介して様々な他の装置と通信するための手段を提供する。装置の性質に依存して、ユーザインターフェース４１２（例えば、キーパッド、ディスプレイ、スピーカー、マイクロフォン、ジョイスティック）もまた提供され得る。
【００４０】
[0046]  プロセッサ４０４は、バス４０２の管理や、コンピュータ読取可能な媒体４０６に記憶されたソフトウェアの実行を含む一般的な処理を担当する。このソフトウェアは、プロセッサ４０４によって実行されるとき、任意の特定の装置に関して以下に説明される様々な機能を処理システム４１４に実行させる。コンピュータ読取可能な媒体４０６はまた、ソフトウェアを実行するとき、プロセッサ４０４によって操作されるデータを記憶するために使用され得る。
【００４１】
[0047]   図４ｂは、処理システム４１４を用いた装置４０１のためのハードウェア実装の例を図示する概念図である。いくつかの例では、処理システム４１４は、ＭＭＥ、ＳＧＷ／ＰＧＷなど（例えば、コアネットワークノード１０６）のようなコアネットワークのコンポーネントを備え得る。この例では、処理システム４１４は、バス４０２によって一般に表されるバスアーキテクチャを用いて実装され得る。バス４０２は、処理システム４１４の特定のアプリケーションおよび全体的な設計制約に依存する、任意の数の相互接続バスおよびブリッジを含み得る。バス４０２は、一般に、プロセッサ４０４によって一般に表される１つまたは複数のプロセッサ、コンピュータ読取可能な媒体４０６によって一般に表されるコンピュータ読取可能な媒体、および、任意的に、統計収集コンポーネント１２０、接続モード時間コンポーネント１２２、統計提供コンポーネント１２４、またはコアネットワークノード１０６の他のコンポーネントなど（図１）を含む様々な回路を一緒にリンクし、それは、本明細書で説明される１つまたは複数の方法またはプロシージャ（例えば、図２の方法２００）を実行するように構成され得る。いくつかの事例では、コンポーネント１２０、１２２、および１２４の、または上述されるおよび／または図１における他のコンポーネントの、動作のうちの少なくともいくつかは、コンピュータ読取可能な媒体４０６内に記憶される命令、並びに／あるいは、情報を使用してプロセッサ４０４によって、実装または実行され得る。
【００４２】
[0048]  バス４０２はまた、タイミングソース、周辺機器、電圧レギュレータ、および電力管理回路のような様々な他の回路をリンクさせることができ、それは、当該技術分野において周知である。バスインタフェース４０８は、バス４０２とトランシーバ４１０との間のインターフェースを提供する。トランシーバ４１０は、送信媒体を介して様々な他の装置と通信するための手段を提供し、それは、ＥＰＣ５１０（図５）のようなコアネットワークの装置を含み得る。装置の性質に依存して、ユーザインターフェース４１２（例えば、キーパッド、ディスプレイ、スピーカー、マイクロフォン、ジョイスティック）もまた提供され得る。
【００４３】
[0049]  プロセッサ４０４は、バス４０２の管理や、コンピュータ読取可能な媒体４０６に記憶されたソフトウェアの実行を含む一般的な処理を担当する。このソフトウェアは、プロセッサ４０４によって実行されるとき、任意の特定の装置に関して以下に説明される様々な機能を処理システム４１４に実行させる。コンピュータ読取可能な媒体４０６はまた、ソフトウェアを実行するとき、プロセッサ４０４によって操作されるデータを記憶するために使用され得る。
【００４４】
[0050]  図５は、様々な装置（例えば、図１のＵＥ １０２、アクセスネットワークノード１０４、コアネットワークノード１０６）を用いた、ＬＴＥネットワークアーキテクチャ５００を図示する図である。ＬＴＥネットワークアーキテクチャ５００は、発展型パケットシステム（ＥＰＳ）５００と呼ばれ得る。ＥＰＳ ５００は、１つまたは複数のユーザ機器（ＵＥ）５０２（図１のＵＥ １０２を表し得る）、発展型ＵＭＴＳ地上無線アクセスネットワーク（Ｅ−ＵＴＲＡＮ）５０４、発展型パケットコア（ＥＰＣ）５１０、ホーム加入者サーバ（ＨＳＳ）５２０、およびオペレータのＩＰサービス５２２を含み得る。ＥＰＳは、他のアクセスネットワークと相互接続し得るが、簡潔化のために、それらのエンティティ／インターフェースは示されていない。示されるように、ＥＰＳは、パケット交換サービスを提供するが、当業者が容易に理解し得るように、本開示の全体にわたって示される様々な概念は、回線交換サービスを提供するネットワークに拡張され得る。
【００４５】
[0051]  Ｅ−ＵＴＲＡＮは、発展型ノードＢ（ｅＮＢ）５０６および他のｅＮＢ ５０８を含み、それらの１つまたは複数は、図１のアクセスネットワークノード１０４を表し得る。従って、例えばｅＮＢ ５０６（および／またはｅＮＢ ５０８）は、本明細書で説明されるような、統計受信コンポーネント１１０、接続モード時間コンポーネント１１２、および／または非アクティビティタイマ設定コンポーネント１１４のうちの１つまたは複数を含み得、これらは、本明細書で説明される様々な機能および／または方法（例えば、図３の方法３００）を実行し得る。ｅＮＢ ５０６は、ＵＥ ５０２に対してユーザおよび制御プレーンプロトコル終端を提供する。ｅＮＢ ５０６は、Ｘ２インターフェース（すなわち、バックホール）を介して、他のｅＮＢ ５０８に接続され得る。ｅＮＢ ５０６はまた、当業者によって、基地局、トランシーバ基地局、無線基地局、無線トランシーバ、トランシーバ機能、ベーシックサービスセット（ＢＳＳ）、拡張サービスセット（ＥＳＳ）、または何らかの他の適切な専門用語で呼ばれ得る。ｅＮＢ ５０６は、ＵＥ ５０２のためにＥＰＣ ５１０へのアクセスポイントを提供する。ＵＥ ５０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、映像デバイス、デジタルオーディオプレイヤ（例えば、ＭＰ３プレイヤ）、カメラ、ゲーム機器、または他の同様の機能を有するデバイスを含む。ＵＥ ５０２はまた、当業者によって、モバイル局、加入者局、モバイルユニット、加入者ユニット、無線ユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、あるいは何らかの他の適切な専門用語で呼ばれ得る。
【００４６】
[0052]  ｅＮＢ ５０６は、Ｓ１インターフェースによってＥＰＣ ５１０に接続される。ＥＰＣ ５１０は、モビリティ管理エンティティ（ＭＭＥ）５１２、他のＭＭＥ ５１４、サービングゲートウェイ５１６、パケットデータネットワーク（ＰＤＮ）ゲートウェイ５１８を含み、これらは、図１のコアネットワークノード１０６に相互関連し得る。よって、例えば、ＭＭＥ ５１２（あるいは他のＭＭＥ ５１４または他のコアネットワークコンポーネント）は、本明細書で説明されるような、統計収集コンポーネント１２０、接続モード時間コンポーネント１２２、および／または統計提供コンポーネント１２４のうちの１つまたは複数を含み得、それは、本明細書で説明される（例えば、図２の方法２００）様々な機能および／または方法を実行し得る。ＭＭＥ ５１２は、ＵＥ ５０２とＥＰＣ ５１０との間のシグナリングを処理する制御ノードである。一般に、ＭＭＥ ５１２は、ベアラおよび接続管理を提供する。全てのユーザＩＰパケットは、サービングゲートウェイ５１６を通じて転送され、それは、それ自体がＰＤＮゲートウェイ５１８に接続される。ＰＤＮゲートウェイ５１８は、ＵＥ ＩＰアドレス割り振り、および他の機能も提供する。ＰＤＮゲートウェイ５１８は、オペレータのＩＰサービス５２２に接続される。オペレータのＩＰサービス５２２は、インターネット、イントラネット、ＩＰマルチメディアサブシステム（ＩＭＳ）、およびＰＳストリーミングサービス（ＰＳＳ）を含む。
【００４７】
[0053]  図６は、ＭＩＭＯシステム６００における、送信機システム６１０（例えば、図１のアクセスネットワークノード１０４のような、アクセスポイントまたはｅＮＢ）、および受信機システム６５０（例えば、図１のＵＥ １０２のような、アクセス端末またはＵＥ）の実施形態のブロック図である。送信機システム６１０において、多数のデータストリームのためのトラフィックデータが、データソース６１２から送信（ＴＸ）データプロセッサ６１４に提供される。加えて、送信機システム６１０および／または受信機システム６５０は、それらの間のワイヤレス通信を容易にするために、本明細書で説明されるシステム／装置（例えば、図１、４ａ、４ｂなど）および／または方法（図２および３）を用いることができる、あるいは、その一部であることができることが理解される。例えば、本明細書で説明される方法、および／またはシステムのコンポーネントまたは機能は、下記で説明されるメモリ６３２および／または６７２、あるいは、プロセッサ６３０および／または６７０の一部であることができる、並びに／あるいは、開示される機能を行うために、プロセッサ６３０および／または６７０によって実行されることができる。
【００４８】
[0054]  一例では、送信機システム６１０はｅＮＢを含み得、そのため、本明細書で説明されるような、統計受信コンポーネント１１０、接続モード時間コンポーネント１１２、および／または非アクティビティタイマ設定コンポーネント１１４のうちの１つまたは複数を含み得る。コンポーネント１１０、１１２、および／または１１４は、方法３００（図３）などを行うために、および／または非アクティビティタイマ持続時間を決定するためのコアネットワークノード１０６からの統計を受信するなどのために、本明細書で説明されるような（例えば、図１、４ａなどの）コンポーネント１１０、１１２、および／または１１４に関連付けられた機能を実行するための、１つまたは複数のプロセッサ６３０に通信可能に結合され得る。
【００４９】
[0055]  １つの実施形態では、各データストリームは、各々の送信アンテナを介して送信される。ＴＸデータプロセッサ６１４は、コード化されたデータを提供するために、各データストリームのためのトラフィックデータを、そのデータストリームのために選択された特定の符号化方式に基づいて、フォーマット、コーディング、およびインターリーブする。
【００５０】
[0056]  各データストリームのためのコード化されたデータは、ＯＦＤＭ技法を使用してパイロットデータと多重化されることができる。パイロットデータは通常、既知の方式で処理される既知のデータパターンであり、受信機システムにおいて、チャネル応答を推定するために使用されることができる。各データストリームのための多重化されたパイロットデータとコード化されたデータは次に、変調シンボルを提供するために、そのデータストリームのために選択された特定の変調方式（例えば、ＢＰＳＫ、ＱＳＰＫ、Ｍ−ＰＳＫ、またはＭ−ＱＡＭ）に基づいて変調される（例えば、シンボルマッピングされる）。各データストリームのためのデータレート、コーディング、および変調は、プロセッサ６３０によって実行される命令によって決定され得る。
【００５１】
[0057]  次に、全てのデータストリームのための変調シンボルがＴＸ ＭＩＭＯプロセッサ６２０に提供され、それは、変調シンボルをさらに処理することができる（例えば、ＯＦＤＭ用に）。ＴＸ ＭＩＭＯプロセッサ６２０は次に、ＮＴ個の変調シンボルストリームをＮＴ個の送信機（ＴＭＴＲ）６２２ａ〜６２２ｔに提供する。特定の実施形態では、ＴＸ ＭＩＭＯプロセッサ６２０は、データストリームのシンボルと、シンボルの送信元であるアンテナとにビームフォーミング重みを適用する。
【００５２】
[0058]  各送信機６２２は、ＭＩＭＯチャネルを介して送信に適する変調された信号を提供するために、それぞれのシンボルストリームを受信および処理して、１つまたは複数のアナログ信号を提供し、これらのアナログ信号をさらに調整（例えば、増幅、フィルタリング、およびアップコンバート）する。送信機６２２ａ〜６２２ｔからのＮＴ個の変調された信号は次に、それぞれＮＴ個のアンテナ６２４ａ〜６２４ｔから送信される。
【００５３】
[0059]  受信機システム６５０において、送信された変調された信号は、ＮＲ個のアンテナ６５２ａ〜６５２ｒによって受信され、各アンテナ６５２からの受信された信号は、それぞれの受信機（ＲＣＶＲ）６５４ａ〜６５４ｒに提供される。各受信機６５４は、それぞれの受信された信号を調整（例えば、フィルタリング、増幅、およびダウンコンバート）し、サンプルを提供するために調整された信号をデジタル化し、対応する「受信された」シンボルストリームを提供するために、これらサンプルをさらに処理する。
【００５４】
[0060]  ＲＸデータプロセッサ６６０は次に、ＮＴ個の「検出された」シンボルストリームを提供するために、特定の受信機処理技法に基づいてＮＲ個の受信機６５４からＮＲ個の受信されたシンボルストリームを受信および処理する。ＲＸデータプロセッサ６６０は次に、データストリームのためのトラフィックデータを回復させるために、各検出されたシンボルストリームを復調、デインターリーブ、および復号する。ＲＸデータプロセッサ６６０による処理は、送信機システム６１０においてＴＸ ＭＩＭＯプロセッサ６２０およびＴＸデータプロセッサ６１４によって実行されるものと補完的である。
【００５５】
[0061]  プロセッサ６７０は、どのプリコーディングマトリクスを使用すべきかを定期的に決定する。プロセッサ６７０は、マトリクスインデックスの部分とランク値の部分とを備えるリバースリンクメッセージを形成する（formulate）。
【００５６】
[0062]  リバースリンクメッセージは、通信リンクおよび／または受信データストリームに関する様々なタイプの情報を備えることができる。リバースリンクメッセージは次に、ＴＸデータプロセッサ６３８によって処理され、それはまた、データソース６３６からの多数のデータストリームに関するトラフィックデータを受信し、リバースリンクメッセージは、変調器６８０によって変調され、送信機６５４ａ〜６５４ｒによって調整され、送信機システム６１０へ送り返される。
【００５７】
[0063]  送信機システム６１０において、受信機システム６５０によって送信されたリバースリンクメッセージを抽出するために、受信機システム６５０からの変調された信号は、アンテナ６２４によって受信され、受信機６２２によって調整され、復調器６４０によって復調され、ＲＸデータプロセッサ６４２によって処理される。プロセッサ６３０は次に、ビームフォーミング重みを決定するためにどのプリコーディングマトリクスを使用すべきかを決定し、次に、抽出されたメッセージを処理する。
【００５８】
[0064]  プロセッサ６３０および６７０は、それぞれ、送信機システム６１０および受信機システム６５０における動作（例えば、制御、調整、管理など）を指示することができる。それぞれのプロセッサ６３０および６７０は、プログラムコードおよびデータを記憶するメモリ６３２および６７２に関連付けられることができる。例えば、プロセッサ６３０および６７０は、ＵＥ １０２、アクセスネットワークノード１０４、コアネットワークノード１０６などに関して本明細書で説明される機能を行うことができ、並びに／あるいは対応するコンポーネントの１つまたは複数を動作することができる。同様に、メモリ６３２および６７２は、機能性またはコンポーネント、並びに／あるいは関連するデータを実行するための命令を記憶することができる。
【００５９】
[0065]  本開示の様々な態様に従って、エレメントまたはエレメントの任意の一部、あるいはエレメントの任意の組み合わせは、１つまたは複数のプロセッサを含む「処理システム」を用いて実装され得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック、離散ハードウェア回路、および本開示を通して説明される様々な機能を行うように構成された他の適切なハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語で呼ばれようと、またはその他のもので呼ばれようと、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するように広く解釈されるべきである。ソフトウェアは、コンピュータ読取可能な媒体上に存在し得る。コンピュータ読取可能な媒体は、非一時的なコンピュータ読取可能な媒体であり得る。非一時的なコンピュータ読取可能な媒体は、例として、磁気記憶デバイス（例えば、ハードディスク、フロッピー（登録商標）ディスク、磁気ストリップ）、光学ディスク（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、リムーバブルディスク、およびコンピュータによってアクセスおよび読取可能なソフトウェアおよび／または命令を記憶するための任意の他の適切な媒体を含む。コンピュータ読取可能な媒体はまた、例として、搬送波、送信回線、およびコンピュータによってアクセスおよび読取可能なソフトウェアおよび／または命令を送信するための任意の他の適切な媒体を含み得る。コンピュータ読取可能な媒体は、処理システム内に、処理システムの外部に存在し、または処理システムを含む複数のエンティティにわたって分散され得る。コンピュータ読取可能な媒体は、コンピュータプログラム製品で具現化され得る。例として、コンピュータプログラム製品は、パッケージング材料内のコンピュータ読取可能な媒体を含み得る。当業者は、システム全体に課された全体的な設計の制約および特定の用途に依存して、本開示全体を通して提示される説明された機能をどのように自実装することが最善かを認識するだろう。
【００６０】
[0066]  開示された方法におけるステップの特定の順序または階層は、例示的プロセスを図示する図であると理解されるだろう。設計の選好に基づいて、本明細書で説明される方法または方法論におけるステップの特定の順序または階層が並べ替えられ得ることが理解される。添付の方法の請求項は、本明細書に特に記載されない限り、サンプルの順序において、様々なステップの要素を表し、表された特定の順序または階層に限定されることが意図されるものではない。
【００６１】
[0067]  先の説明は、当業者が、本明細書に説明された様々な態様を実現することができるように提供されている。これらの態様への様々な修正は、当業者にとって容易に明らかとなり、本明細書に定義された一般的な原理は、他の態様に適用され得る。従って、特許請求の範囲は、本明細書に示される態様に限定されることが意図されるものではなく、特許請求の範囲の文言と一致する最大範囲であると認められるべきであり、ここにおいて、単数のエレメントへの参照は、そのように明確に記載されていない限り、「１つおよび１つのみ」を意味するのではなく、むしろ「１つまたは複数」を意味することが意図される。そうでないことが明確に記載されていない限り、「いくつかの」という用語は１つまたは複数を指す。項目のリスト「のうちの少なくとも１つ」を指すフレーズは、単一の要素を含む、それらの項目の任意の組み合わせを指す。例として、「ａ、ｂ、またはｃのうちの少なくとも１つ」は、ａ；ｂ；ｃ；ａおよびｂ；ａおよびｃ；ｂおよびｃ；ならびにａ、ｂ、およびｃ、をカバーすることが意図されている。当業者に既知の、または後に知られることになる本開示全体を通して説明される様々な態様のエレメントとの全ての構造的あるいは機能的な同等物は、参照によって本明細書に明確に組み込まれ、特許請求の範囲によって包含されることが意図される。さらに、本明細書で開示されたものはどれも、そのような開示が特許請求の範囲において明示的に記載されているかどうかに関わらず公共に寄与されことが意図されるものではない。特許請求の範囲のどのエレメントも、そのエレメントが明確に「〜のための手段」という句を使用して記載されていない限り、または、方法の請求項の場合には、そのエレメントが「〜するためのステップ」という句を使用して記載されていない限り、米国特許法第１１２条第６パラグラフの規定のもとで解釈されるべきではない。
以下に本願の出願当初の特許請求の範囲に記載された発明を付記する。
[Ｃ１]  ユーザ機器（ＵＥ）アクティビティ期間統計を報告する方法であって、
１つまたは複数のアクティビティ期間中にＵＥが接続モードまたはアイドルモードにある時間に関する、前記ＵＥについての統計を決定することと、
前記１つまたは複数のアクティビティ期間内に前記ＵＥが前記接続モードにある前記時間が閾値よりも小さいかどうかを、前記ＵＥについての前記統計から決定することと、
前記１つまたは複数のアクティビティ期間の対応する部分において前記ＵＥが前記接続モードにある前記時間が前記閾値よりも小さい場合、アクセスネットワークノードに前記ＵＥについての前記統計の少なくとも一部を提供することと
を備える、方法。
[Ｃ２]  前記統計を決定することは、複数のアクティビティ期間にわたって前記ＵＥが接続モードまたはアイドルモードにある前記時間の確率分布のヒストグラムまたは平均を決定することを備え、前記１つまたは複数のアクティビティ期間は、前記複数のアクティビティ期間を備える、Ｃ１に記載の方法。
[Ｃ３]  前記ＵＥが前記接続モードにある前記時間が前記閾値よりも小さいかどうかを決定することは、前記時間の前記確率分布または前記平均が前記閾値よりも小さいかどうかを決定することを備える、Ｃ２に記載の方法。
[Ｃ４]  コアネットワーク構成から、前記閾値または前記閾値を計算するためのパラメータを取得することをさらに備える、Ｃ１に記載の方法。
[Ｃ５]  コアネットワークコンポーネントから、前記閾値または前記閾値を計算するためのパラメータを取得することをさらに備える、Ｃ１に記載の方法。
[Ｃ６]  前記コアネットワークコンポーネントは、動作および管理ノード、または機能を含む、Ｃ５に記載の方法。
[Ｃ７]  前記アクセスネットワークノードから、前記閾値または前記閾値を計算するためのパラメータを取得することをさらに備える、Ｃ１に記載の方法。
[Ｃ８]  前記閾値を計算するための前記パラメータは、前記アクセスネットワークノードから受信された非アクティビティタイマ持続時間を備え、乗数によって乗算された前記非アクティビティタイマ持続時間として前記閾値を計算することをさらに備える、Ｃ７に記載の方法。
[Ｃ９]  前記１つまたは複数のアクティビティ期間中に前記ＵＥがアイドルモードにある前記時間の割合として前記閾値を計算することをさらに備える、Ｃ１に記載の方法。
[Ｃ１０]  前記統計の少なくとも前記一部において指示された、アイドルモードにあるまたは接続モードにある前記時間のうちの少なくとも１つに少なくとも部分的に基づいて、前記ＵＥについての非アクティビティタイマ持続時間を決定することをさらに備える、Ｃ１に記載の方法。
[Ｃ１１]  ユーザ機器（ＵＥ）アクティビティ期間統計を報告するための装置であって、
１つまたは複数のアクティビティ期間中にＵＥが接続モードまたはアイドルモードにある時間に関する、前記ＵＥについての統計を決定するように構成された、統計収集コンポーネントと、
前記１つまたは複数のアクティビティ期間内に前記ＵＥが前記接続モードにある前記時間が閾値よりも小さいかどうかを、前記ＵＥについての前記統計から決定するように構成された、接続モード時間コンポーネントと、
前記１つまたは複数のアクティビティ期間の対応する部分において前記ＵＥが前記接続モードにある前記時間が前記閾値よりも小さい場合、アクセスネットワークノードに前記ＵＥについての前記統計の少なくとも一部を提供するように構成された、統計提供コンポーネントと
を備える、装置。
[Ｃ１２]  前記統計収集コンポーネントは、複数のアクティビティ期間にわたって前記ＵＥが接続モードまたはアイドルモードにある前記時間の確率分布のヒストグラムまたは平均を決定するように構成され、前記１つまたは複数のアクティビティ期間は、前記複数のアクティビティ期間を備える、Ｃ１１に記載の装置。
[Ｃ１３]  前記接続モード時間コンポーネントは、前記時間の前記確率分布または前記平均が前記閾値よりも小さいかどうかを決定することに少なくとも部分的に基づいて、前記ＵＥが前記接続モードにある前記時間が前記閾値よりも小さいかどうかを決定するように構成される、Ｃ１２に記載の装置。
[Ｃ１４]  前記接続モード時間コンポーネントは、コアネットワーク構成から、前記閾値または前記閾値を計算するためのパラメータを取得するようにさらに構成される、Ｃ１１に記載の装置。
[Ｃ１５]  前記接続モード時間コンポーネントは、コアネットワークコンポーネントから、前記閾値または前記閾値を計算するためのパラメータを取得するようにさらに構成される、Ｃ１１に記載の装置。
[Ｃ１６]  前記コアネットワークコンポーネントは、動作および管理ノード、または機能を含む、Ｃ１５に記載の装置。
[Ｃ１７]  前記接続モード時間コンポーネントは、前記アクセスネットワークノードから、前記閾値または前記閾値を計算するためのパラメータを取得するようにさらに構成される、Ｃ１１に記載の装置。
[Ｃ１８]  前記閾値を計算するための前記パラメータは、前記アクセスネットワークノードから受信された非アクティビティタイマ持続時間を備え、前記接続モード時間コンポーネントは、乗数によって乗算された前記非アクティビティタイマ持続時間として前記閾値を計算するようにさらに構成される、Ｃ１７に記載の装置。
[Ｃ１９]  前記接続モード時間コンポーネントは、前記１つまたは複数のアクティビティ期間中に前記ＵＥがアイドルモードにある前記時間の割合として前記閾値を計算するようにさらに構成される、Ｃ１１に記載の装置。
[Ｃ２０]  前記統計提供コンポーネントは、前記統計の少なくとも前記一部において指示された、アイドルモードにあるまたは接続モードにある前記時間のうちの少なくとも１つに少なくとも部分的に基づいて、前記ＵＥについての非アクティビティタイマ持続時間を決定するようにさらに構成される、Ｃ１１に記載の装置。
[Ｃ２１]  ユーザ機器（ＵＥ）アクティビティ期間統計を報告するための装置であって、
１つまたは複数のアクティビティ期間中にＵＥが接続モードまたはアイドルモードにある時間に関する、前記ＵＥについての統計を決定するための手段と、
前記１つまたは複数のアクティビティ期間内に前記ＵＥが前記接続モードにある前記時間が閾値よりも小さいかどうかを、前記ＵＥについての前記統計から決定するための手段と、
前記１つまたは複数のアクティビティ期間の対応する部分において前記ＵＥが前記接続モードにある前記時間が前記閾値よりも小さい場合、アクセスネットワークノードに前記ＵＥについての前記統計の少なくとも一部を提供するための手段と
を備える、装置。
[Ｃ２２]  前記ＵＥについての前記統計を決定するための前記手段は、複数のアクティビティ期間にわたって前記ＵＥが接続モードまたはアイドルモードにある前記時間の確率分布のヒストグラムまたは平均を決定し、前記１つまたは複数のアクティビティ期間は、前記複数のアクティビティ期間を備える、Ｃ２１に記載の装置。
[Ｃ２３]  前記１つまたは複数のアクティビティ期間内に前記ＵＥが前記接続モードにある前記時間が前記閾値よりも小さいかどうかを決定するための前記手段は、前記時間の前記確率分布または前記平均が前記閾値よりも小さいかどうかを決定する、Ｃ２２に記載の装置。
[Ｃ２４]  前記１つまたは複数のアクティビティ期間内に前記ＵＥが前記接続モードにある前記時間が前記閾値よりも小さいかどうかを決定するための前記手段は、コアネットワーク構成、コアネットワークコンポーネント、または前記アクセスネットワークノードから、前記閾値または前記閾値を計算するためのパラメータを取得する、Ｃ２１に記載の装置。
[Ｃ２５]  前記閾値を計算するための前記パラメータは、前記アクセスネットワークノードから受信された非アクティビティタイマ持続時間を備え、前記１つまたは複数のアクティビティ期間内に前記ＵＥが前記接続モードにある前記時間が閾値よりも小さいかどうかを決定するための前記手段は、乗数によって乗算された前記非アクティビティタイマ持続時間として前記閾値を計算する、Ｃ２４に記載の装置。
[Ｃ２６]  ユーザ機器（ＵＥ）アクティビティ期間統計を報告するためのコードを備えるコンピュータ読取可能な媒体であって、前記コードは、
１つまたは複数のアクティビティ期間中にＵＥが接続モードまたはアイドルモードにある時間に関する、前記ＵＥについての統計を決定するためのコードと、
前記１つまたは複数のアクティビティ期間内に前記ＵＥが前記接続モードにある前記時間が閾値よりも小さいかどうかを、前記ＵＥについての前記統計から決定するためのコードと、
前記１つまたは複数のアクティビティ期間の対応する部分において前記ＵＥが前記接続モードにある前記時間が前記閾値よりも小さい場合、アクセスネットワークノードに前記ＵＥについての前記統計の少なくとも一部を提供するためのコードと
を備える、コンピュータ読取可能な媒体。
[Ｃ２７]  前記ＵＥについての前記統計を決定するための前記コードは、複数のアクティビティ期間にわたって前記ＵＥが接続モードまたはアイドルモードにある前記時間の確率分布のヒストグラムまたは平均を決定し、前記１つまたは複数のアクティビティ期間は、前記複数のアクティビティ期間を備える、Ｃ２６に記載のコンピュータ読取可能な媒体。
[Ｃ２８]  前記１つまたは複数のアクティビティ期間内に前記ＵＥが前記接続モードにある前記時間が前記閾値よりも小さいかどうかを決定するための前記コードは、前記時間の前記確率分布または前記平均が前記閾値よりも小さいかどうかを決定する、Ｃ２７に記載のコンピュータ読取可能な媒体。
[Ｃ２９]  前記１つまたは複数のアクティビティ期間内に前記ＵＥが前記接続モードにある前記時間が前記閾値よりも小さいかどうかを決定するための前記コードは、コアネットワーク構成、コアネットワークコンポーネント、または前記アクセスネットワークノードから、前記閾値または前記閾値を計算するためのパラメータを取得する、Ｃ２６に記載のコンピュータ読取可能な媒体。
[Ｃ３０]  前記閾値を計算するための前記パラメータは、前記アクセスネットワークノードから受信された非アクティビティタイマ持続時間を備え、前記１つまたは複数のアクティビティ期間内に前記ＵＥが前記接続モードにある前記時間が閾値よりも小さいかどうかを決定するための前記コードは、乗数によって乗算された前記非アクティビティタイマ持続時間として前記閾値を計算する、Ｃ２９に記載のコンピュータ読取可能な媒体。
【図１】
0006676545.tif 000003
【図２】
0006676545.tif 000004
【図３】
0006676545.tif 000005
【図４ａ】
0006676545.tif 000006
【図４ｂ】
0006676545.tif 000007
【図５】
0006676545.tif 000008
【図６】
0006676545.tif 000009